(57)【要約】【課題】光や色を反射させながら回転するこまと、こまの回転台に回転するこまを映す複数の反射鏡を設けることにより、こまの回転による華麗な演出をするこまの回転装置を提供する。【解決手段】こまの心棒に小車を設けたこまと、該こまを回転させる装置において、こまの回転台(１８)の周囲の適当な箇所に、回転するこまを映す複数の反射鏡(１５)を設け、こま本体の外周面に複数の連続する平面(６３A)、(６３B)、(６３C)を設け、該平面の少なくとも一部に光や色を反射する反射面を設けたことを特徴とする。【選択図】図１
2004209226.tif 000002
【特許請求の範囲】
【請求項１】
定点でこまが回転するこまの回転台を設け、こまの回転台の周囲の適当な箇所に、回転するこまを映す反射鏡を設けたことを特徴とするこまの回転装置。
【請求項２】
こまが回転するこまの回転台を設け、こまの回転台の周囲の適当な箇所に、回転するこまを映す複数の反射鏡を設けたことを特徴とする請求項１に記載のこまの回転装置。
【請求項３】
こまに磁性体の心棒を設け、上部端をこまの回転台の上方に向けて、下部端をこまの回転台の周囲の適当な箇所に固定して磁石を吊るす枠体を設け、該枠体の上端に紐状体の上端を連結して設け、該紐状体の下端は、こまの回転台の上のこまが回転する定点の上部の適当な位置で磁石に連結して設けたことを特徴とする請求項１、請求項２に記載のこまとこまの回転装置。
【請求項４】
こまの心棒に小車を設けたこまと、該こまを発車させる装置において、こまの回転台の周囲の適当な箇所に、回転するこまを映す複数の反射鏡を設けたことを特徴とする請求項１、請求項２、請求項３に記載のこまとこまの回転装置。
【請求項５】
こま本体の中に発光体を設け、こまの回転装置の中に電池を設け、該発光体、電池等を導電接続したことを特徴とする請求項１、請求項２、請求項３、請求項４に記載のこまとこまの回転装置。
【請求項６】
こま本体の中に発光体と電池を設けたことを特徴とする請求項１、請求項２、請求項３、請求項４に記載のこまとこまの回転装置。
【請求項７】
こま本体の外周面に連続する複数の平面を設け、該平面の少なくとも一部に光や色を反射する反射面を設けたことを特徴とする請求項１、請求項２、請求項３、請求項４、請求項５、請求項６に記載のこまとこまを回す装置。
【発明の詳細な説明】
【技術分野】
【０００１】
本発明は、先に自分が発明した、こまの心棒に小車を設けたこまと、該こまを発車させる装置の機能改良に関するものである。
【背景技術】
【０００２】
こまの心棒に小車を設けたこまと、該こまを発車させる装置において、これを使用するとき、横向きにセットしたこまを発車すると、発車されたこまは、縦横変換ガイドレールを通過すると、こまが見事に縦向きになって、こまの回転台の上で回転するので、驚きと興味を持って見られるものであるが、回転台の上で回転するこまの変化が少ないため、これを見ていて、すぐにあきてしまい、これだけでは、何か物足りなく感じて、今ひとつ興味ある趣向性を付け加える必要があった。
【特許文献１】特開２００３−２６５８６７号公報
【発明の開示】
【発明が解決しようとする課題】
【０００３】
解決しようとする問題点は、こまの回転台に達したこまが、定点で回るだけで変化することが少ないため、今ひとつ興味を引くものが求められる点である。
【課題を解決するための手段】
【０００４】
こまの回転台の周囲の適当な箇所に、回るこまを映す複数の反射鏡を設け、こまの外周面に光や色を反射する連続する平面を設けることにより、課題を解決するものである。
【発明の効果】
【０００５】
本発明は、こまの心棒に小車を設けたこまと、該こまを回すこまの回転装置において、これを使用するとき、横向きにセットしたこまが、見事に縦向きになって回転するという趣向性に加えて、光や色をキラキラ反射させながら回転するこまの様子が、複数の反射鏡に映し出され、こまの回転の華麗な演出を可能にした点にある。
【発明を実施するための最良の形態】
【０００６】
こまの心棒に小車を設けたこまと、該こまを回転させる装置が持つ機能はそのまま利用して、それに追加する機能として、こま本体に光や色を反射する連続する複数の平面を設け、こまの回転台に回転するこまを映す複数の反射鏡を設けるということで課題の顕著な改善を実現した。
【実施例１】
【０００７】
図１〜図５に示す実施の形態では、樽形状物（２５）の前面部と後面部を開口して、こま挿入口（３２）と、こま出口（３３）をそれぞれ設け、樽形状物（２５）の上部には、樽上台（２２）を介して、こまの回転台（１８）を設け、該こまの回転台の後部に逆U字形に形成する鏡固定基台（１３）を設け、該鏡固定基台に固定して複数の反射鏡（１５）を設け、鏡固定基台（１３）の上部に連結具(４５)やパイプ（８）、連結具B（７）を介して、透明板（２）や王冠部（１）、ビン形状部（３）等を適宜配置して設け、該ビン形状部の後部には、メネジ部（６）やネジ部（５）、ツマミ（４）等を設け、該ネジ部の前部先端にクサリ（９）の一方端を連結して設け、該クサリはビン形状部の中を通して、ビン形状部の前部端より下部へ吊り下げる。クサリの下部端には、連結具C（１０）や連結輪（１１）を介して、磁石ホルダー（４６）に接続し、該磁石ホルダーに連結して、磁石（１２）を設ける。樽形状物（２５）のこま出口（３３）より、鏡固定基台（１３）の内側のそれぞれ所定の箇所に至るこま走行レール（１４A）、（１４B）、（１４C）、（１４D）をそれぞれ設け、樽形状物（２５）の中に樽中板（２４）やこま発車レール（２８）、こま発車上部レール（３１）、レール固定部材（２９A）、（２９B）等を適宜配置して設ける。これを使用するときは、まず、こまを磁石(１２)の下で立てて、こまが磁石に飛び付く寸前になるよう、上部のツマミ(４)を回して磁石の高さを調節する。次に、こまを横向きにしてこま発車レール（２８）にセットして、こま本体の上に指を当てて、次に一気に指を下に打ち下ろすと、こまは樽形状物（２５）のこま出口（３３）より飛び出して、こま走行レール（１４A）、（１４B）、（１４C）、（１４D）に乗って上方へ上り、鏡固定基台（１３）の内側空間を通り、入口幕（２０）を通過して、こまの回転台（１８）に至り、次に磁石（１２）の下で回り続ける。この時、図５に示すように、こまの回転している様子が、反射鏡(１５)の各面に映し出される。
【０００８】
図６、図７、図８に示す実施の形態では、こま本体の中に発光体（５０）と遠心力開閉スイッチ（５３）を設け、樽形状物（２５）の中に電池ホルダー（３５）と電池（４９）を設け、これらの発光体と遠心力開閉スイッチ、電池等をそれぞれ導電接続させて、こま本体の中の発光体を発光させる実施例を示すものであり、これを図面とともに説明すれば、こまの心棒(５７)を磁性材かつ導電部材で設け、樽形状物（２５）の中に電池ホルダー（３５）と電池(４９)を設け、該電池ホルダーに接合する＋端子（３６）と−端子（３７）は、こま走行レール(１４A)、(１４D)の下部のレール下部端子（３８）、（３９）に導電配線材（４１）、（４２）でそれぞれ導電接続し、こま走行レール（１４A）の上端は導電部材（４３）を介して、こまの回転台（１８）の上部の金属板（４０）に導電接続し、一方、こま走行レール（１４D）の上端は導電部材（４４）を介して、基台外板（１６）に導電接続して設ける。こま走行レール(１４A)、(１４D)を初め、基台外板（１６）や連結具（４５）、パイプ（８）、連結具B（７）、メネジ部（６）、ネジ部（５）、クサリ（９）、連結具C（１０）、連結輪（１１）、磁石ホルダー（４６）、こま上部接触子（４７）等を全て導電材で設け、連結具B（７）とメネジ部（６）は導電配線材（４８）で導電接続する。こま（５１）は発光体（５０）と遠心力開閉スイッチ(５３)を内蔵しているが、電源は内蔵していないため、樽形状物（２５）の中の電池（４９）から、こまの発光体まで上述の態様で導電接続をして、こまの発光体の発光を可能にしている。
【０００９】
図９に示す実施の形態では、こまの中に発光体（５０A）と遠心力開閉スイッチ（５３A）の他、電池ホルダー（５５）と電池（５６）を設けたものであり、前述のようにこまの回転装置の中に電池などを設ける必要がなく、こま自体に設けた電池により発光体を発光させるものである。
【００１０】
図１０に示す実施の形態では、こまの中の発光体(５０)を点滅発光させるための回路等を示すものであり、これを図面とともに説明すると、樽形状物(２５)の中に電池(４９)と、発光体を点滅発光させるための点滅回路を設け、こま本体の中に発光体(５０)と遠心力開閉スイッチ(５３)を設けたものである。
【００１１】
図１１に示す実施の形態では、こま本体の中に、発光体(５０A)や電池(５６)、遠心力開閉スイッチ(５３A)、点滅回路等を全てこま本体の中に設けて、こま本体だけで、発光体の点滅発光を完結させるものである。
【００１２】
図１２、図１３に示す実施の形態では、こま本体の外周面（６３A）、（６３B）、（６３C）にそれぞれ連続する平面を設け、これら平面の少なくとも一部に、光反射や色反射する反射面を設ける．このこまを回転させると、こまの反射面が光や色を反射させながら回転するため、これらの反射する様子が、こまの回転台の後方に設けた複数の反射鏡(１５)に映し出されるため、こまの回転による顕著な華やかさが演出されるものである。
【産業上の利用可能性】
【００１３】
華やかに光や色を反射させながら回転するこまを楽しむと云う遊戯的な用途と、装置全体をアート的な造形物に構成できるため、こまを回さないときにも、装置全体を観賞用として楽しむことができるため、観賞用置物としての用途にもなる。
【図面の簡単な説明】
【００１４】
【図１】本発明の正面図
【図２】本発明の背面図
【図３】本発明の左側面図
【図４】図１のA-A´断面図
【図５】本発明の使用説明図
【図６】本発明の他の実施例の断面図
【図７】本発明の他の実施例の背面図
【図８】本発明で使用するこまの他の実施例の説明図
【図９】本発明で使用するこまの他の実施例の説明図
【図１０】本発明の他の実施例の点滅発光の説明図
【図１１】本発明の他の実施例の点滅発光の説明図
【図１２】本発明で使用するこまの他の実施例の斜視図
【図１３】本発明で使用するこまの他の実施例の正面図
【符号の説明】
【００１５】
１    王冠部
２    透明板
３    ビン形状部
４    ツマミ
５    ネジ部
６    メネジ部
７    連結具B
８    パイプ
９    クサリ
１０    連結具C
１０A    鏡に映った連結具C
１１    連結輪
１２    磁石
１２A    鏡に映った磁石
１３    鏡固定基台
１４A    こま走行レール
１４B    こま走行レール
１４C    こま走行レール
１４D    こま走行レール
１５    反射鏡
１６    基台外板
１７    前面板
１８    こまの回転台
１９    入口外枠
２０    入口幕
２１    入口枠
２２    樽上台
２３    樽上板
２４    樽中板
２５    樽形状物
２６    樽底板
２７    樽輪
２８    こま発車レール
２９A    レール固定部材
２９B    レール固定部材
３０    回転台側板
３１    こま発車上部レール
３２    こま挿入口
３３    こま出口
３４    こま
３４A    鏡に映ったこま
３５    電池ホルダー
３６    ＋端子
３７    −端子
３８    レール下部端子
３９    レール下部端子
４０    金属板
４１    導電配線材
４２    導電配線材
４３    導電部材
４４    導電部材
４５    連結具
４６    磁石ホルダー
４７    こま上部接触子
４８    導電配線材
４９    電池
５０    発光体
５０A    発光体
５１    こま
５２    発光体ホルダー
５３    遠心力開閉スイッチ
５３A    遠心力開閉スイッチ
５４    導電配線材
５５    電池ホルダー
５６    電池
５７    こまの心棒
５８    こまの小車
５９    こまの心棒
６０    こまの外周壁
６１    窓
６３A    こま本体の外周面
６３B    こま本体の外周面
６３C    こま本体の外周面
６４    こまの小車
６５    こまの心棒
【図１】
2004209226.tif 000003
【図２】
2004209226.tif 000004
【図３】
2004209226.tif 000005
【図４】
2004209226.tif 000006
【図５】
2004209226.tif 000007
【図６】
2004209226.tif 000008
【図７】
2004209226.tif 000009
【図８】
2004209226.tif 000010
【図９】
2004209226.tif 000011
【図１０】
2004209226.tif 000012
【図１１】
2004209226.tif 000013
【図１２】
2004209226.tif 000014
【図１３】
2004209226.tif 000015